(57)【特許請求の範囲】
【請求項１】
一対の柱状の脚フレームと、
前記脚フレームの上部に架設され、上端部に端部が折り返された折返し部を有する梁部材と、
前記梁部材の上に設置され、下面にナットを有する天板と、
前記梁部材の下面に配置され、前記ナットに対応する位置にボルト穴、及び前記折返し部を収容する切欠き部を有する板状取付金具と、
前記ボルト穴を介して前記ナットにネジ込まれ、前記天板と前記板状取付金具を共締めすることにより前記天板と前記板状取付金具によって、前記折返し部を前記切欠き部に収容して前記梁部材を挟持するボルトと、
を備える天板取付構造。
【請求項２】
一対の柱状の脚フレームと、
前記脚フレームの上部に架設された梁部材と、
前記梁部材の上に設置され、下面にナットを有し、上下方向に貫通する配線用開口部を周回するように形成されるとともに下部にネジ穴が設けられる水平舌片を有する縁部材を備える天板と、
前記梁部材の下面に配置され、前記ナットに対応する位置にボルト穴を有し、片側の立壁の中央部から延出形成されてビス穴を有する舌片状取付部を有する板状取付金具と、
前記ボルト穴を介して前記ナットにネジ込まれ、前記天板と前記板状取付金具を共締めすることにより前記天板と前記板状取付金具によって前記梁部材を挟持するボルトと、
前記ビス穴及び前記ネジ穴に挿通され、共締めされることにより前記縁部材が前記配線用開口部に取り付けられるビスと、
を備える天板取付構造。
【発明の詳細な説明】
【技術分野】
【０００１】
本発明は病院等で使用されるナースカートやナースワゴン等と称されるカートを集合配置するときに用いられる細長い略テーブル状形態を有するカートターミナルなどの什器における天板取付構造に関する。
【背景技術】
【０００２】
一般に入院患者が居る病院では、看護師が各患者の間を順回して、各患者の血圧，体温等の測定、点滴液や包帯等の交換など必要な措置をとるために、パソコンを含む必要な器材や用具，用品等を搭載して看護師が携行するナースカートが使用されている。
【０００３】
上記ナースカートは、ナースセンターに各看護師が集合するときなどに、各人が携行していた夫々のナースカートを細長い略テーブル状をなすカートターミナルの周囲に接合態様で配置する。
【０００４】
ナースカートが集合したカートターミナルにおいては、各看護師が業務上で使用しているパソコンやＰＨＳ等の電源を充電したり、各人がナースカート上でパソコンを操作するなどの業務が行われる。
【０００５】
上記カートターミナルでは、各看護師が夫々のナースカートをこのターミナルに当接させて集合し、各カートの天板上でパソコン操作等の作業をしたり、電子機器の充電等の作業が行われるが、そのためには、カートターミナルの天板は、図１に示すようにカートターミナル本体の平面形状と殆んど同形状のものであれば足りる。各ナースカートにはパソコン等を載置できる天板が設けられているからである。
【０００６】
しかし、カートターミナルには、図２の平面図に例示するように天板を大きく形成することにより、カートターミナル機能のほか、ナースセンターにおけるナーステーブルとしての機能を満足するようにした形態の什器（カートターミナル兼用のナーステーブル）としての需要も考えられる。
【０００７】
同様の意味合いで、図３の平面図に例示するように、図１のナースターミナルの側端部に別の天板を連接するような形態を採る天板付カートターミナルも考えられる。
【０００８】
このように、カートターミナルのような什器において、種々の形態の天板が載架される下部構造体は、種々の形態の天板や天板に形成された配線用開口部の構成部材などを、シンプルな単一構造で支持でき、しかも、取付作業が容易な構成を具備したものであることが、組立性や部品点数を増加させないなどの面から製造上有利であり、経済的でもある。
【０００９】
しかし、特許文献１〜３などの従来のカートターミナルには、かかる要請を充足できるものは見当らない。
【先行技術文献】
【特許文献】
【００１０】
【特許文献１】特開２００６−１１５９１９号公報
【特許文献２】特開２００７−２０６５６号公報
【特許文献３】特開２００８−２００８６号公報
【発明の概要】
【発明が解決しようとする課題】
【００１１】
そこで本発明は、上記カートターミナル等の什器の下部構造体に天板や天板に設けられる配線用開口部の構成部材など、当該ターミナルに設けられる天板やその天板に設けられる部品の取付部を、シンプルな構造であって、かつ、容易な作業により取付けることができるようにしたカートターミナルを始めとして少なくとも天板を取付けるようにした什器を提供することを、課題とする。
【課題を解決するための手段】
【００１２】
上記課題を解決するために、本発明は一対の柱状の脚フレームと、記脚フレームの上部に架設され、上端部に端部が折り返された折返し部を有する梁部材と、梁部材の上に設置され、下面にナットを有する天板と、梁部材の下面に配置され、前記ナットに対応する位置にボルト穴、及び前記折返し部を収容する切欠き部を有する板状取付金具と、ボルト穴を介してナットにネジ込まれ、天板と板状取付金具を共締めすることにより天板と板状取付金具によって、折返し部を前記切欠き部に容して梁部材を挟持するボルトと、
を備える天板取付構造を提供する。
【００１３】
本発明において、上位水平辺を緊締挟持する手段は、天板下面に設けたナットに板状取付金具のボルト穴を通してネジ込まれるボルト杆である。ここで、天板裏面のナットと取付金具のボルト穴は、ボルト杆の緊締，弛緩作業が前記梁部材の下面側から行い易いように、対向した梁部材の間隙を通して悠に見える位置に配設することが望ましい。また、上記取付金具が天板に形成された配線用開口部に設けられるとき、前記取付金具には前記開口部の縁に装着される開口部縁部材を止めるために舌片状の止着片を一体に延設形成したものを用いる。
【発明の効果】
【００１４】
本発明では、上面に天板が載架固定される断面が略コ状の梁部材を、その側面開口を対向させて左右の脚フレーム間に架設して形成した上位梁フレームを有する細長いテーブル形状をなすカートターミナルにおいて、ナットを設けた天板の裏面と板状取付金具の上面の間に、略コ状梁部材の上位水平辺を挟み、前記取付金具のボルト穴から天板裏面のナットにボルト杆を貫通螺設して緊締するようにしたから、前記天板を梁部材に強固に固定することができる。従って、天板の外形が変わっても上記と同じ取付構造によって外形の異なる天板を上位梁フレームの梁部材に取付けることができる。ここで、天板裏面のナットと取付金具のボルト穴は、対向した梁部材の水平辺の隙間を通して見える位置に配設することにより、前記ボルトの締付又は緩め作業を前記梁部材の下面からでも容易に行うことが可能になる。
【００１５】
また、天板に配線用開口部が形成された天板では、取付金具に開口部縁部材を止めるための舌片状の止着片を一体に延設した取付金具を用いると、天板の固定とその天板の配線用開口部に設ける縁部材とを取付けることができる。
【図面の簡単な説明】
【００１６】
【図１】本発明を適用したカートターミナルの斜視図。
【図２】図１のカートターミナルの縦断正面拡大図。
【図３】図１のカートターミナルの縦断側面拡大図。
【図４】図１〜図３のカートターミナルの天板を変更した例の平面図。
【図５】図４のカートターミナルの天板を変更した例の平面図。
【図６】図１〜図３のカートターミナルに用いられた天板の裏面図。
【図７】図１〜図３と図６に示した天板の取付構造を説明するための側断面拡大図。
【図８】図７の取付金具の拡大斜視図。
【図９】図１〜図３と図６に示した天板に設けた配線用開口部の縁部材の取付状態を説明するための側断面拡大図。
【図１０】図８の配線用開口部と縁部材と取付金具の関係を示した斜視図。
【発明を実施するための形態】
【００１７】
本発明が適用される開口面を対向させて配置される上位の梁部材の上面に天板が載架固定される細長い略テーブル状什器の一例としてのカートターミナルとその下部構造について、図１〜図３により説明する。
【００１８】
すなわち、本発明が適用される略テーブル状をなす什器の一例としてのカートターミナルＣＴ一例は、左右に適宜離間した逆Ｔ字状の脚フレーム１Ｌ，１Ｒと、両脚フレーム１Ｌ，１Ｒの上，下部を結合するように架設した上位と下位の梁フレーム２Ｕ及び２Ｂと、上位梁フレーム２Ｕの上に配置された蓋３１ａ，３２ａを備える配線用の開口部３１，３２を有する天板３と、前記の両梁フレーム２Ｕ，２Ｂの前後面を塞ぐように配置した前面パネルと後面パネル４Ｆｐ，４Ｂｐを備えて成る。
【００１９】
ここで、２ｕ，２ｖは上位梁フレーム２Ｕを形成するため側面の開口を対向して配置した断面が大略コ状の梁部材、２ｂ，２ｃは同じく下位の梁フレーム２Ｂを形成する断面略コ状の梁部材、１ａ，１ｂは脚フレーム１Ｌ，１Ｒの下端に設けた足部材、Ｌａ１，Ｌａ２は、下位の梁部材２ｂ，２ｃの間において段部２ｂ‘，２ｃ’の上にクロスする形で設けた下位梁フレーム２Ｂの補強用棧部材、Ｔｗは前面パネル４Ｆｐと後面パネル４Ｂｐの間に、着脱式で設けた配線用トレー、Ｆは床、Ｗは床下から立上げられた電源線や通信線などの配線、Ｃｏは配線Ｗの端末に設けた接続器である。
【００２０】
上記カートターミナルＣＴにおいて、天板３を除いた（若しくは天板３を取付けない）構成が、本発明の細長い略テーブル状什器における下部構造体Ｔｂである。
【００２１】
上記カートターミナルＣＴにおいては天板３に代えて、図４及び図５の平面図に例示した前記天板３とは異なる平面形状を有する別の天板を、図１〜図３で説明したカートターミナルＣＴの下部構造体Ｔｂに、共通した取付構造によって取付けることができる。図４，図５において、図１〜図３の符号と同一符号は同一部材を示す。
【００２２】
図４の例においては、天板３Ａが下部構造体Ｔｂに取付けられている。この天板３Ａの左右幅は、カートターミナルＣＴの下部構造体Ｔｂの左右幅より少し大きく、また、前後幅（図４の上，下幅）も、下部構造体Ｔｂにおける脚フレーム１Ｌ，１Ｒの足１ａ，１ｂの長さより少し大きい形状の天板３Ａが用いられている。
【００２３】
図５の例においては、下部構造体Ｔｂに上記天板３よりも長辺が短い別の天板３Ｂと、２本の補助脚３３を有する大略円形の小天板３Ｃとが取付けられている。
【００２４】
次に本発明におけるここでは４種類の天板３，３Ａ，３Ｂ，３Ｃの取付け構造の例について、図６〜図９により説明する。
図１〜図３に例示したカートターミナルＣＴの下部構造体Ｔｂに取付けられている天板３は、一例として、木質ボードＭＤＦにより形成されており、図６の裏面図に示すように、当該天板３の裏面には、２個を１組とする鬼目ナットのような埋込みナット５ａ，５ｂが６組設けられている。他の天板３Ａ，３Ｂ，３Ｃも木質ボードＭＤＦにより形成され、図示しないが、天板３の場合と同じように２個を１組とする鬼目ナット状の埋込みナット５ａ，５ｂが設けられている。ここで、前記ナット５ａと５ｂの間隔は、後述する当該天板３が載架される上位梁フレーム２Ｕの梁部材２ｕ，２ｖにおける上位水平辺２１ｕ，２１ｖが形成する隙間の内側に位置できる距離に設けられている。良好な作業性を確保するためである。また、天板３が木質ボードＭＤＦでない場合、例えば、スチール製の場合、埋込みナット５ａ，５ｂは、天板部材に溶接等して取付けたナットになる。
【００２５】
図６の天板３における左右の外側端側に位置する埋込みナット５ａ，５ｂに対しては、図８に例示する第一取付金具６１が用いられ、この金具６１のボルト穴６１ａ，６１ｂからボルト７１ａ，７１ｂが、上位の梁部材２ｕ，２ｖにおける水平辺２１ｕ，２１ｖの上に載せた前記天板３の左右の外側に位置した埋込みナット５ａ，５ｂに対してネジ込まれることにより、この天板３が前記取付金具６１とボルト７１ａ，７１ｂによって梁部材２ｕ，２ｖの水平辺２１ｕ，２１ｖに固定される。
【００２６】
第一取付金具６１は、図８に例示したように、次の構成を備えたものである。すなわち、対面している２本の梁部材２ｕ，２ｖにおける水平辺２１ｕ，２１ｖに十分届く長さの帯状の鋼板を金具本体６１ｃとし、該本体６１ｃの長さ方向における両方の縁部を略９０度に立上げることにより、この金具６１の強度を、本体６１ｃと２辺の立壁６１ｄ，６１ｅにより担保するように形成されている。立壁６１ｄ，６１ｅには、前記梁部材２ｕ，２ｖにおける水平辺２１ｕ，２１ｖの折返し部２２ｕ，２２ｖを受入れるための切欠部６１ｆ，６１ｇが設けられている。
【００２７】
図６の天板３の裏面において、配線用開口部３１，３２における夫々の開口部の左右方向の外側に隣接して配置された、それぞれ２組の埋込みナット５ａ，５ｂには、図１０に例示するように、第一取付金具６１における金具本体６１ｃの片側の立壁６１ｅの中央部から当該金具６１と一体に延出形成された舌片状取付部８を有する第二取付金具６２が用いられる。
すなわち、梁部材２ｕ，２ｖの水平辺２１ｕ，２１ｖの上に載せられた天板３の埋込みナット５ａ，５ｂに対して金具本体６１ｃのボルト穴６１ａ，６１ｂからボルト７１ａ，７１ｂがネジ込まれて、この天板３が配線用開口部３１と３２の左右側端近傍において梁部材２ｕ，２ｖの水平辺２１ｕ，２１ｖに固定される。図１０の第二取付金具６２において、第一取付金具６１と同一部位，同一部分は同一符号で示している。この第二取付金具６２は、図１０に示すように配線用開口部３１（３２）に対して同じものを対称な向きにして用いている。
【００２８】
図１０に示した第二取付金具６２における舌片状取付部８は、天板３に形成された配線用開口部３１（３２）に装着される縁部材９の固定部として機能する。この縁部材９は、平面視横長ロ字状をなし、その長辺側の２つの部材９ａ，９ｂと、短辺側の２つの部材９ｃ，９ｄとが平面略長方形をなすように組付けられて形成されていると共に、短辺側部材９ｃ，９ｄの下部に設けた水平舌片９１ｃ，９１ｄに、２つのビス穴を設けて形成されている。
一方、上記の舌片状取付部８には、水平舌片９１ｃ，９１ｄのビス穴に対応する２つのネジ穴８ａが形成されている。
【００２９】
この構成により、天板３の配線用開口部３１（３２）に装着された平面視横長ロ字状の縁部材９は、その水平舌片９１ｃ，９１ｄのビス穴からビス８ｂを通し水平舌片８のネジ穴８ａにネジ込むことによって、縁部材９を開口部３１（３２）に固定することができる。
【００３０】
配線用開口部３１（３２）に縁部材を固定するための水平舌片８を一体に延設して備える第二取付金具６２も、２つの配線開口部３１（３２）の外側において、第一取付金具３１と同様に、金具本体６１ｃのボルト穴６１ａ，６１ｂからボルト材７１ａ，７１ｂを、天板３（３Ａ〜３Ｃ）の裏面に設けた埋込みナット５ａ，５ｂにネジ込むことにより、当該天板の上位の梁部材２ｕ，２ｖの水平辺２１ｕ，２１ｖに固定する作用をする。
【００３１】
以上に説明した天板３の取付構造は、天板３Ａ，同３Ｂ，同３ＣのカートターミナルＣＴの下部構造体Ｔｂに対する取付けにおいても、同じ取付構造であるから説明は省略する。また、本発明取付構造は、上記のナースカートターミナルＣＴのみならず、その下部構造体Ｔｂが備えている上位の梁フレーム２Ｕを形成する梁部材２ｕ，２ｖを有する什器，例えば、デスクやカウンターの天板の取付けにも適用することができる。
【００３２】
以上に述べたように本発明では、左右の脚フレームに上，下位の梁フレームを架設して成り、上位の梁フレームの水平辺の上に様々な形状の天板を取付けるようにしたカートターミナルのような細長い略テーブル状の什器において、様々な天板を上位の梁フレームの水平辺に取付けるために、その天板裏面と取付金具によって前記フレームの水平辺を挟み、この状態で前記取付金具から天板裏面の埋込みナットにボルト杆をねじ込むことによって、当該天板裏面と取付金具で梁フレームを圧着挟持するようにしたから、天板形状のいかんに拘らず同一の取付構造で様々な天板を取付けることができる。
【符号の説明】
【００３３】
１Ｌ，ＬＲ      脚フレーム
２Ｕ，２Ｂ      上位と下位の梁フレーム
３，３Ａ，３Ｂ，３Ｃ  天板
３１，３２      配線開口部
５ａ，５ｂ      埋込みナット
６１            第一取付金具
６２            第二取付金具
６１ａ，６１ｂ  ボルト穴
６１ｃ          金具本体
６１ｄ，６１ｅ  立壁
６１ｆ，６１ｇ  切欠部
７１ａ，７１ｂ  ボルト杆
８              舌片状取付部
９              配線用開口部３１，３２の縁部材
【図１】
0006014353.tif 000002
【図２】
0006014353.tif 000003
【図３】
0006014353.tif 000004
【図４】
0006014353.tif 000005
【図５】
0006014353.tif 000006
【図６】
0006014353.tif 000007
【図７】
0006014353.tif 000008
【図８】
0006014353.tif 000009
【図９】
0006014353.tif 000010
【図１０】
0006014353.tif 000011